【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
互いに磁気的に結合された一次コイル（２１）及び二次コイル（２２）と、
該二次コイルの低圧側に接続されたコイル端子体（３）と、
外部機器に電気的に接続されるコネクタ端子体（４）と、
上記コイル端子体と上記コネクタ端子体とに懸架されるように接続される接続部品（５）と、を有し、
該接続部品は、上記コイル端子体に接続される線材からなるコイル側リード線（５１）と、上記コネクタ端子体に接続される線材からなるコネクタ側リード線（５２）とを有し、
上記コイル端子体は、上記コイル側リード線を嵌入させるコイル側嵌合凹部（３１）を有し、該コイル側嵌合凹部の内側端面（３１１）は、内側に向かって凸状の曲面に形成されており、
上記コネクタ端子体は、上記コネクタ側リード線を嵌入させるコネクタ側嵌合凹部（４１）を有し、該コネクタ側嵌合凹部の内側端面（４１１）は、内側に向かって凸状の曲面に形成されており、
上記コイル側リード線は、該コイル側リード線の長手方向と直交する方向に上記コイル側嵌合凹部に圧入されており、
上記コネクタ側リード線は、該コネクタ側リード線の長手方向と直交する方向に上記コネクタ側嵌合凹部に圧入されており、
上記コイル端子体は、線材によって構成されており、
上記コイル端子体は、上記二次コイルが巻回されたボビン（６）に設けられた端子保持部（６１）に保持されており、
上記端子保持部は、上記コイル側嵌合凹部の広がりを規制する変形規制部（６１２）を備えていることを特徴とする内燃機関用の点火コイル。
【請求項２】
上記コイル側嵌合凹部の深さ方向と上記コネクタ側嵌合凹部の深さ方向とは、互いに同一方向であることを特徴とする請求項１に記載の内燃機関用の点火コイル。
【請求項３】
上記コネクタ端子体は、板状体によって構成されていることを特徴とする請求項１又は２に記載の内燃機関用の点火コイル。
【請求項４】
上記コネクタ端子体は、線材によって構成されていることを特徴とする請求項１又は２に記載の内燃機関用の点火コイル。
【請求項５】
互いに磁気的に結合された一次コイル（２１）及び二次コイル（２２）と、
該二次コイルの低圧側に接続されたコイル端子体（３）と、
外部機器に電気的に接続されるコネクタ端子体（４）と、
上記コイル端子体と上記コネクタ端子体とに懸架されるように接続される接続部品（５）と、を有し、
該接続部品は、上記コイル端子体に接続される線材からなるコイル側リード線（５１）と、上記コネクタ端子体に接続される線材からなるコネクタ側リード線（５２）とを有し、
上記コイル端子体は、上記コイル側リード線を嵌入させるコイル側嵌合凹部（３１）を有し、該コイル側嵌合凹部の内側端面（３１１）は、内側に向かって凸状の曲面に形成されており、
上記コネクタ端子体は、上記コネクタ側リード線を嵌入させるコネクタ側嵌合凹部（４１）を有し、該コネクタ側嵌合凹部の内側端面（４１１）は、内側に向かって凸状の曲面に形成されており、
上記コイル側リード線は、該コイル側リード線の長手方向と直交する方向に上記コイル側嵌合凹部に圧入されており、
上記コネクタ側リード線は、該コネクタ側リード線の長手方向と直交する方向に上記コネクタ側嵌合凹部に圧入されており、
上記コイル側嵌合凹部の深さ方向と上記コネクタ側嵌合凹部の深さ方向とは、互いに同一方向であることを特徴とする内燃機関用の点火コイル。
【請求項６】
上記コネクタ端子体は、板状体によって構成されていることを特徴とする請求項５に記載の内燃機関用の点火コイル。
【請求項７】
上記コネクタ端子体は、線材によって構成されていることを特徴とする請求項５に記載の内燃機関用の点火コイル。
【請求項８】
互いに磁気的に結合された一次コイル（２１）及び二次コイル（２２）と、
該二次コイルの低圧側に接続されたコイル端子体（３）と、
外部機器に電気的に接続されるコネクタ端子体（４）と、
上記コイル端子体と上記コネクタ端子体とに懸架されるように接続される接続部品（５）と、を有し、
該接続部品は、上記コイル端子体に接続される線材からなるコイル側リード線（５１）と、上記コネクタ端子体に接続される線材からなるコネクタ側リード線（５２）とを有し、
上記コイル端子体は、上記コイル側リード線を嵌入させるコイル側嵌合凹部（３１）を有し、該コイル側嵌合凹部の内側端面（３１１）は、内側に向かって凸状の曲面に形成されており、
上記コネクタ端子体は、上記コネクタ側リード線を嵌入させるコネクタ側嵌合凹部（４１）を有し、該コネクタ側嵌合凹部の内側端面（４１１）は、内側に向かって凸状の曲面に形成されており、
上記コイル側リード線は、該コイル側リード線の長手方向と直交する方向に上記コイル側嵌合凹部に圧入されており、
上記コネクタ側リード線は、該コネクタ側リード線の長手方向と直交する方向に上記コネクタ側嵌合凹部に圧入されており、
上記コネクタ端子体は、線材によって構成されていることを特徴とする内燃機関用の点火コイル。
【請求項９】
上記コイル端子体は、線材によって構成されていることを特徴とする請求項５〜８のいずれか一項に記載の内燃機関用の点火コイル。
【請求項１０】
上記コイル端子体は、上記二次コイルが巻回されたボビン（６）に設けられた端子保持部（６１）に保持されていることを特徴とする請求項９に記載の内燃機関用の点火コイル。
【請求項１１】
互いに電気的に絶縁された複数の上記コネクタ端子体（４、４０）を備え、該複数のコネクタ端子体のうちの２つのコネクタ端子体（４０）に懸架されるように、付属電子部品（７）が接続され、該付属電子部品は、上記コネクタ端子体に接続される線材からなる一対の付属リード線（７１）を有し、該一対の付属リード線がそれぞれ接続される一対の上記コネクタ端子体は、上記付属リード線を嵌入させる付属嵌合凹部（４０１）を有し、該付属嵌合凹部の内側端面は、内側に向かって凸状の曲面に形成されており、上記付属リード線は、該付属リード線の長手方向と直交する方向に上記付属嵌合凹部に圧入されていることを特徴とする請求項１〜１０のいずれか一項に記載の内燃機関用の点火コイル。
【請求項１２】
一対の上記付属嵌合凹部の深さ方向は、互いに同一方向であることを特徴とする請求項１１に記載の内燃機関用の点火コイル。
【手続補正２】
【補正対象書類名】明細書
【補正対象項目名】０００８
【補正方法】変更
【補正の内容】
【０００８】
本発明の一態様は、互いに磁気的に結合された一次コイル及び二次コイルと、
該二次コイルの低圧側に接続されたコイル端子体と、
外部機器に電気的に接続されるコネクタ端子体と、
上記コイル端子体と上記コネクタ端子体とに懸架されるように接続される接続部品と、を有し、
該接続部品は、上記コイル端子体に接続される線材からなるコイル側リード線と、上記コネクタ端子体に接続される線材からなるコネクタ側リード線とを有し、
上記コイル端子体は、上記コイル側リード線を嵌入させるコイル側嵌合凹部を有し、該コイル側嵌合凹部の内側端面は、内側に向かって凸状の曲面に形成されており、
上記コネクタ端子体は、上記コネクタ側リード線を嵌入させるコネクタ側嵌合凹部を有し、該コネクタ側嵌合凹部の内側端面は、内側に向かって凸状の曲面に形成されており、
上記コイル側リード線は、該コイル側リード線の長手方向と直交する方向に上記コイル側嵌合凹部に圧入されており、
上記コネクタ側リード線は、該コネクタ側リード線の長手方向と直交する方向に上記コネクタ側嵌合凹部に圧入されており、
上記コイル端子体は、線材によって構成されており、
上記コイル端子体は、上記二次コイルが巻回されたボビンに設けられた端子保持部に保持されており、
上記端子保持部は、上記コイル側嵌合凹部の広がりを規制する変形規制部を備えていることを特徴とする内燃機関用の点火コイルにある。
本発明の他の態様は、互いに磁気的に結合された一次コイル及び二次コイルと、
該二次コイルの低圧側に接続されたコイル端子体と、
外部機器に電気的に接続されるコネクタ端子体と、
上記コイル端子体と上記コネクタ端子体とに懸架されるように接続される接続部品と、を有し、
該接続部品は、上記コイル端子体に接続される線材からなるコイル側リード線と、上記コネクタ端子体に接続される線材からなるコネクタ側リード線とを有し、
上記コイル端子体は、上記コイル側リード線を嵌入させるコイル側嵌合凹部を有し、該コイル側嵌合凹部の内側端面は、内側に向かって凸状の曲面に形成されており、
上記コネクタ端子体は、上記コネクタ側リード線を嵌入させるコネクタ側嵌合凹部を有し、該コネクタ側嵌合凹部の内側端面は、内側に向かって凸状の曲面に形成されており、
上記コイル側リード線は、該コイル側リード線の長手方向と直交する方向に上記コイル側嵌合凹部に圧入されており、
上記コネクタ側リード線は、該コネクタ側リード線の長手方向と直交する方向に上記コネクタ側嵌合凹部に圧入されており、
上記コイル側嵌合凹部の深さ方向と上記コネクタ側嵌合凹部の深さ方向とは、互いに同一方向であることを特徴とする内燃機関用の点火コイルにある。
本発明のさらに他の態様は、互いに磁気的に結合された一次コイル及び二次コイルと、
該二次コイルの低圧側に接続されたコイル端子体と、
外部機器に電気的に接続されるコネクタ端子体と、
上記コイル端子体と上記コネクタ端子体とに懸架されるように接続される接続部品と、を有し、
該接続部品は、上記コイル端子体に接続される線材からなるコイル側リード線と、上記コネクタ端子体に接続される線材からなるコネクタ側リード線とを有し、
上記コイル端子体は、上記コイル側リード線を嵌入させるコイル側嵌合凹部を有し、該コイル側嵌合凹部の内側端面は、内側に向かって凸状の曲面に形成されており、
上記コネクタ端子体は、上記コネクタ側リード線を嵌入させるコネクタ側嵌合凹部を有し、該コネクタ側嵌合凹部の内側端面は、内側に向かって凸状の曲面に形成されており、
上記コイル側リード線は、該コイル側リード線の長手方向と直交する方向に上記コイル側嵌合凹部に圧入されており、
上記コネクタ側リード線は、該コネクタ側リード線の長手方向と直交する方向に上記コネクタ側嵌合凹部に圧入されており、
上記コネクタ端子体は、線材によって構成されていることを特徴とする内燃機関用の点火コイルにある。